【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
蒸気凝縮液（ＶＣ）試料を採取しかつ分析するための装置であって、
採取プレートとカバープレートとを含み、
ｉ．前記プレートが、異なる構成になるように互いに対して移動可能であり、
ｉｉ．１つ又は両方のプレートが可撓性であり、
ｉｉｉ．前記プレートのそれぞれが、そのそれぞれの表面上に、分析物を含む蒸気凝縮液（ＶＣ）試料と接触するための試料接触領域を有し、
ｉｖ．前記プレートの１つ又は両方が、それぞれのプレートに固定されたスペーサを含み、前記スペーサが、所定の実質的に均一な高さ及び所定の一定のスペーサ間距離を有し、前記スペーサのうち少なくとも１つは、前記試料接触領域内にあり、
前記構成の１つは開放構成であり、ここでは、前記２つのプレートが完全に又は部分的に離され、前記プレート間の間隔が前記スペーサにより調節されず、前記ＶＣ試料が前記プレートの１つ又は両方に付着し、
前記構成のうちの別の構成は、開放構成でＶＣ試料が付着した後に構成された閉鎖構成であり、前記閉鎖構成では、ＶＣ試料の少なくとも一部が、２つのプレートの間にありかつ２つのプレートと接触し、スペーサ及びプレートの２つの試料表面により調節されかつ変化が少ない３０μｍ以下の非常に均一な厚さを有する、装置。
【請求項２】
前記プレートの１つ又は両方に塗布された乾燥試薬をさらに含む、請求項１に記載の装置。
【請求項３】
１つ又は両方のプレートにおいて、ある所定の領域を有する乾燥結合部位をさらに含み、前記乾燥結合部位が、前記試料中の前記分析物に結合し、それを固定化する、請求項１に記載の装置。
【請求項４】
１つ又は両方のプレートにおいて、放出可能な乾燥試薬と、前記放出可能な乾燥試薬が前記試料中に放出される時間を遅らせる放出時間制御材料とをさらに含む、請求項１に記載の装置。
【請求項５】
前記放出時間制御材料が、前記放出可能な乾燥試薬が試料に放出され始める時間を少なくとも３秒遅らせる、請求項４に記載の装置。
【請求項６】
１つ又は両方のプレートにおいて、１つ以上の乾燥結合部位、及び／又は１つ以上の試薬部位をさらに含む、請求項１に記載の装置。
【請求項７】
前記試料が、呼気凝縮液である、請求項１に記載の装置。
【請求項８】
前記試料が、生体試料、環境試料、化学試料又は臨床試料に由来する蒸気である、請求項１に記載の装置。
【請求項９】
前記分析物が、分子（例えば、タンパク質、ペプチド、ＤＮＡ、ＲＮＡ、核酸又はその他の分子）、細胞、組織、ウイルス又は異なる形状のナノ粒子を含む、請求項１に記載の装置。
【請求項１０】
前記分析物が、揮発性有機化合物（ＶＯＣ）を含む、請求項１に記載の装置。
【請求項１１】
前記分析物が、窒素、酸素、ＣＯ２、Ｈ２Ｏ又は不活性ガスを含む、請求項１に記載の装置。
【請求項１２】
前記分析物が染色される、請求項１に記載の装置。
【請求項１３】
前記試料が接触する表面のうち一方に、採取プレートに付着したＶＣ試料の一部又は全部を囲むエンクロージャースペーサをさらに含む、請求項１に記載の装置。
【請求項１４】
前記非常に均一な厚さが０．５μｍ以下の値を有する、請求項１に記載の装置。
【請求項１５】
前記非常に均一な厚さが０．５μｍ〜１μｍの範囲内の値を有する、請求項１に記載の装置。
【請求項１６】
前記非常に均一な厚さが１μｍ〜２μｍの範囲内の値を有する、請求項１に記載の装置。
【請求項１７】
前記非常に均一な厚さが２μｍ〜１０μｍの範囲内の値を有する、請求項１に記載の装置。
【請求項１８】
前記非常に均一な厚さが１０μｍ〜２０μｍの範囲内の値を有する、請求項１に記載の装置。
【請求項１９】
前記非常に均一な厚さが２０μｍ〜３０μｍの範囲内の値を有する、請求項１に記載の装置。
【請求項２０】
閉鎖構成におけるＶＣ試料の少なくとも一部の厚さが、開放構成における採取プレートに付着したＶＣ試料の厚さより大きい、請求項１に記載の装置。
【請求項２１】
閉鎖構成におけるＶＣ試料の少なくとも一部の厚さが、開放構成における採取プレートに付着したＶＣ試料の厚さより小さい、請求項１に記載の装置。
【請求項２２】
前記スペーサが、前記プレートを直接的にエンボス加工するか又は前記プレートを射出成形することにより、前記プレートに固定される、請求項１に記載の装置。
【請求項２３】
前記プレート及び前記スペーサの材料が、ポリスチレン、ＰＭＭＡ、ＰＣ、ＣＯＣ、ＣＯＰ及び他種のプラスチックからなる群より選択される、請求項１に記載の装置。
【請求項２４】
前記スペーサ間の距離が、１μｍ〜２００μｍの範囲内である、請求項１に記載の装置。
【請求項２５】
前記スペーサ間の距離が、２００μｍ〜１０００μｍの範囲内である、請求項１に記載の装置。
【請求項２６】
前記ＶＣ試料が、ヒト又は動物に由来する呼気凝縮液である、請求項１に記載の装置。
【請求項２７】
均一な厚さの層を調節するスペーサが、少なくとも１％の充填率を有し、充填率が、前記非常に均一な厚さの層と接触するスペーサ面積と、前記非常に均一な厚さの層と接触する総プレート面積との比である、請求項１に記載の装置。
【請求項２８】
前記非常に均一な厚さの層を調節するスペーサについて、スペーサのヤング率とスペーサの充填率との乗積が１０ＭＰａ以上であり、充填率が、前記非常に均一な厚さの層と接触するスペーサ面積と、前記非常に均一な厚さの層と接触する総プレート面積との比である、請求項１に記載の装置。
【請求項２９】
可撓性プレートについて、前記可撓性プレートの厚さと前記可撓性プレートのヤング率との乗積が、６０〜７５０ＧＰａ−μｍの範囲内にある、請求項１に記載の装置。
【請求項３０】
可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）が、１０６μｍ３／ＧＰａ以下である、請求項１に記載の装置。
【請求項３１】
１つ又は両方のプレートが、前記プレートの表面又は内部のいずれか一方に位置し、前記プレートの位置情報を提供する位置マーカーを含む、請求項１に記載の装置。
【請求項３２】
１つ又は両方のプレートが、プレート表面又は内部のいずれか一方に位置し、試料及び／又はプレートの構造の横方向寸法の情報を提供するスケールマーカーを含む、請求項１に記載の装置。
【請求項３３】
１つ又は両方のプレートが、プレート表面又は内部のいずれか一方に位置し、試料の画像化を支援する画像化マーカーを含む、請求項１に記載の装置。
【請求項３４】
前記スペーサが、位置マーカー、スケールマーカー、画像化マーカー、又はそれらの任意の組み合わせとして機能する、請求項１に記載の装置。
【請求項３５】
前記均一な厚さの層の平均厚さが、試料中の分析物の最小寸法にほぼ等しい、請求項１に記載の装置。
【請求項３６】
前記スペーサ間の距離が、１μｍ〜５０μｍの範囲内である、請求項１に記載の装置。
【請求項３７】
前記スペーサ間の距離が、５０μｍ〜１２０μｍの範囲内である、請求項１に記載の装置。
【請求項３８】
前記スペーサ間の距離が、１２０μｍ〜２００μｍの範囲内である、請求項１に記載の装置。
【請求項３９】
前記スペーサ間距離が、実質的に周期的である、請求項１に記載の装置。
【請求項４０】
前記スペーサが、円形、多角形、環形、正方形、長方形、長円形、楕円形及びそれらの任意の組み合わせからなる群より選択される断面形状を有する柱である、請求項１に記載の装置。
【請求項４１】
前記スペーサが柱形状を有しかつ実質的に平坦な上面を有し、各スペーサについて、その高さに対するスペーサの横方向寸法の比が少なくとも１である、請求項１に記載の装置。
【請求項４２】
各スペーサについて、その高さに対するスペーサの横方向寸法の比が少なくとも１である、請求項１に記載の装置。
【請求項４３】
前記スペーサの最小の横方向寸法が、前記試料中の分析物の最小の寸法より小さいか、又は実質的に等しい、請求項１に記載の装置。
【請求項４４】
前記スペーサの最小の横方向寸法が、０．５μｍ〜１００μｍの範囲内である、請求項１に記載の装置。
【請求項４５】
前記スペーサの最小の横方向寸法が、０．５μｍ〜１０μｍの範囲内である、請求項１に記載の装置。
【請求項４６】
前記スペーサが、少なくとも１００／ｍｍ２の密度を有する、請求項１に記載の装置。
【請求項４７】
前記スペーサが、少なくとも１０００／ｍｍ２の密度を有する、請求項１に記載の装置。
【請求項４８】
前記プレートの少なくとも１つが、透明である、請求項１に記載の装置。
【請求項４９】
前記プレートの少なくとも１つが、可撓性ポリマーで製造される、請求項１に記載の装置。
【請求項５０】
プレートを圧縮する圧力について、スペーサが圧縮可能ではない、及び／又は独立してプレートの一方のみが可撓性である、請求項１に記載の装置。
【請求項５１】
前記可撓性プレートが、１０μｍ〜２００μｍの範囲内の厚さを有する、請求項１に記載の装置。
【請求項５２】
前記少ない変化が３０％未満である、請求項１に記載の装置。
【請求項５３】
前記少ない変化が１０％未満である、請求項１に記載の装置。
【請求項５４】
前記少ない変化が５％未満である、請求項１に記載の装置。
【請求項５５】
採取プレート及びカバープレートが接続され、かつプレートを折り畳むことにより、開放構成から閉鎖構成に変化するように構成される、請求項１に記載の装置。
【請求項５６】
採取プレート及びカバープレートがヒンジで接続され、かつ前記ヒンジに沿ってプレートを折り畳むことにより、開放構成から閉鎖構成に変化するように構成される、請求項１に記載の装置。
【請求項５７】
採取プレート及びカバープレートが、前記プレートとは別個の材料であるヒンジにより接続され、前記ヒンジに沿ってプレートを折り畳むことにより、開放構成から閉鎖構成に変化するように構成される、請求項１に記載の装置。
【請求項５８】
採取プレート及びカバープレートが、単一の材料片で製造され、プレートを折り畳むことにより、開放構成から閉鎖構成に変化するように構成される、請求項１に記載の装置。
【請求項５９】
前記非常に均一な厚さの試料の層が、少なくとも１００μｍ２の横方向の領域にわたって均一である、請求項１に記載の装置。
【請求項６０】
前記非常に均一な厚さの試料の層が、少なくとも１ｍｍ２の横方向の領域にわたって均一である、請求項１に記載の装置。
【請求項６１】
６０秒以下で前記試料を分析するように構成される、請求項１に記載の装置。
【請求項６２】
前記閉鎖構成で、前記最終的な試料厚さ装置が、６０秒以下で前記試料を分析するように構成される、請求項１に記載の装置。
【請求項６３】
前記プレートの１つ又は両方に、分析物又は前記分析物の標識が増幅部位から５００ｎｍ以内にある時に、それぞれ分析物又は標識からの信号を増幅できる１つ以上の増幅部位をさらに含む、請求項１に記載の装置。
【請求項６４】
前記閉鎖構成では、前記最終的な試料厚さ装置が、１０秒以下で前記試料を分析するように構成される、請求項１に記載の装置。
【請求項６５】
前記乾燥結合部位が捕捉剤を含む、請求項３に記載の装置。
【請求項６６】
前記乾燥結合部位が抗体又は核酸を含む、請求項３に記載の装置。
【請求項６７】
前記放出可能な乾燥試薬が、標識された試薬である、請求項４に記載の装置。
【請求項６８】
前記放出可能な乾燥試薬が、蛍光標識された試薬である、請求項４に記載の装置。
【請求項６９】
前記放出可能な乾燥試薬が、蛍光標識された抗体である、請求項４に記載の装置。
【請求項７０】
前記採取プレート又はカバープレートが、その表面に、第１の所定のアッセイ部位及び第２の所定のアッセイ部位をさらに含み、前記プレートが閉鎖位置にある時に、前記第１の所定のアッセイ部位の縁部と前記第２の所定のアッセイ部位の縁部との間の距離が、前記非常に均一な厚さの層の厚さよりも実質的に大きく、前記非常に均一な厚さの層の少なくとも一部が、前記所定のアッセイ部位の上にあり、前記試料が、前記試料で拡散できる１つ以上の分析物を有する、請求項１に記載の装置。
【請求項７１】
前記採取プレート又はカバープレートが、その表面に、少なくとも３つの分析物アッセイ部位を有し、前記プレートが閉鎖位置にある時、任意の２つの隣接したアッセイ部位の縁部間の距離が、前記非常に均一な厚さの層の厚さよりも実質的に大きく、前記非常に均一な厚さの層の少なくとも一部が、前記アッセイ部位の上にあり、前記試料が、前記試料中で拡散できる１つ以上の分析物を有する、請求項１に記載の装置。
【請求項７２】
前記プレートが閉鎖位置にある時、前記採取プレート又はカバープレートが、その表面に、前記非常に均一な厚さの層の厚さよりも実質的に大きい距離により離されない少なくとも２つの隣接した分析物アッセイ部位を有し、前記非常に均一な厚さの層の少なくとも一部が、前記アッセイ部位の上にあり、前記試料は、前記試料中で拡散できる１つ以上の分析物を有する、請求項１に記載の装置。
【請求項７３】
前記放出可能な乾燥試薬が、細胞染色剤である、請求項４に記載の装置。
【請求項７４】
光信号を検出するための光検出器である検出器をさらに含む、請求項１に記載の装置。
【請求項７５】
電気的信号を検出するための電気的検出器である検出器をさらに含む、請求項１に記載の装置。
【請求項７６】
移動通信装置を用いて蒸気凝縮液試料を迅速に分析するためのシステムであって、
（ａ）請求項１に記載の装置と；
（ｂ）
ｉ．信号を検出及び／又は蒸気凝縮液試料を画像化するための１つ以上のカメラ、並びに
ｉｉ．検出された信号及び／又は蒸気凝縮液試料の画像を受信及び／又は処理し、遠隔通信するための、電子機器、信号プロセッサ、ハードウェア及びソフトウェア
を含む移動通信装置と
を含む、システム。
【請求項７７】
移動通信装置又は外部源のいずれか一方からの光源をさらに含む、請求項７６に記載のシステム。
【請求項７８】
前記プレートのうち一方が、分析物に結合する結合部位を有し、前記均一な試料厚さの層の少なくとも一部が、前記結合部位の上にあり、前記結合部位の平均横方向線形寸法よりも実質的に小さい、請求項７６に記載のシステム。
【請求項７９】
（ｄ）試料を保持し、前記移動通信装置に搭載されるように構成されたハウジング
をさらに含む、請求項７６に記載のシステム。
【請求項８０】
前記ハウジングが、前記移動通信装置による、前記試料の画像化及び／又は信号処理を容易にする光学素子と、前記光学素子を前記移動通信装置に保持するように構成されたマウントとを含む、請求項７９に記載のシステム。
【請求項８１】
前記ハウジング内の前記光学素子の１つの素子が、ハウジングに対して移動可能である、請求項７９に記載のシステム。
【請求項８２】
前記移動通信装置が、医療専門家、医療機関又は保険会社に、検査結果を伝達するように構成される、請求項７６に記載のシステム。
【請求項８３】
前記移動通信装置が、医療専門家、医療機関又は保険会社に、検査及び対象に関する情報を伝達するようにさらに構成される、請求項７６に記載のシステム。
【請求項８４】
前記移動通信装置が、検査の情報をクラウドネットワークに伝達するようにさらに構成され、かつ前記クラウドネットワークが、前記情報を処理して検査結果を洗練するように構成される、請求項７６に記載のシステム。
【請求項８５】
前記移動通信装置が、試験及び対象の情報をクラウドネットワークに伝達するようにさらに構成され、かつ前記クラウドネットワークが、前記情報を処理して試験結果を洗練し、洗練された試験結果を対象に返信するように構成される、請求項７６に記載のシステム。
【請求項８６】
前記移動通信装置が、医療専門家から処方、診断又は勧告を受信するように構成される、請求項７６に記載のシステム。
【請求項８７】
前記移動通信装置が、
（ａ）前記試料の画像をキャプチャするために；
（ｂ）前記画像内の検査位置及び対照位置を分析するために；かつ
（ｃ）前記検査位置の分析から取得された値と迅速診断検査を特徴付ける閾値とを比較するために
ハードウェア及びソフトウェアと共に構成される、請求項７６に記載のシステム。
【請求項８８】
前記プレートの少なくとも１つが、アッセイ試薬が貯蔵された貯蔵部位を含む、請求項７６に記載のシステム。
【請求項８９】
前記カメラの少なくとも１つが、前記装置からの信号を読み取る、請求項７６に記載のシステム。
【請求項９０】
前記移動通信装置が、ＷｉＦｉ又はセルラネットワークを介して、前記遠隔地と通信する、請求項７６に記載のシステム。
【請求項９１】
前記移動通信装置が、携帯電話である、請求項７６に記載のシステム。
【請求項９２】
携帯電話を用いて試料中の分析物を迅速に分析するための方法であって、
（ａ）請求項１に記載の装置に試料を付着させるステップと；
（ｂ）前記装置に付着した試料中の分析物をアッセイして、結果を生成するステップと；
（ｃ）移動通信装置からの結果を移動通信装置の遠隔地に伝達するステップと
を含む、方法。
【請求項９３】
前記分析物が、分子（例えば、タンパク質、ペプチド、ＤＮＡ、ＲＮＡ、核酸又はその他の分子）、細胞、組織、ウイルス又は異なる形状のナノ粒子を含む、請求項９２に記載の方法。
【請求項９４】
前記分析物が、白血球、赤血球及び血小板を含む、請求項９２に記載の方法。
【請求項９５】
前記遠隔地での結果を分析して、分析結果を提供するステップと、
前記遠隔地からの前記分析結果を前記移動通信装置に伝達するステップと
を含む、請求項９２に記載の方法。
【請求項９６】
前記分析が、遠隔地の医療専門家によって行われる、請求項９５に記載の方法。
【請求項９７】
前記移動通信装置が、前記遠隔地の医療専門家から処方、診断又は勧告を受信する、請求項９２に記載の方法。
【請求項９８】
閉鎖構成におけるＶＣ試料の少なくとも一部の厚さが、開放構成における採取プレートに付着したＶＣ試料の厚さより大きい、請求項９２に記載の方法。
【請求項９９】
閉鎖構成におけるＶＣ試料の少なくとも一部の厚さが、開放構成における採取プレートに付着したＶＣ試料の厚さより小さい、請求項９２に記載の方法。
【請求項１００】
前記アッセイステップが、前記試料中の前記分析物を検出する段階を含む、請求項９２に記載の方法。
【請求項１０１】
前記分析物が、バイオマーカーである、請求項９２に記載の方法。
【請求項１０２】
前記分析物が、タンパク質、核酸、細胞又は代謝産物である、請求項９２に記載の方法。
【請求項１０３】
ステップ（ｂ）におけるアッセイが、結合アッセイ又は生化学的アッセイである、請求項９２に記載の方法。
【請求項１０４】
蒸気凝縮液試料中の分析物を分析するための方法であって、
請求項１に記載の装置を取得するステップと、
蒸気凝縮液試料を装置の１つ又は両方のプレートに付着させるステップと、
前記プレートを閉鎖構成に配置し、前記プレートの少なくとも一部の上に外からの力を加えるステップと、
前記プレートが閉鎖構成にある時に、均一な厚さの層内の分析物を分析するステップと
を含む、方法。
【請求項１０５】
（ａ）試料を取得するステップと；
（ｂ）請求項１に記載の装置を取得するステップであって、
スペーサが、
ｉ．実質的に均一な断面及び平坦な上面を有する柱形状と、
ｉｉ．１以上の、高さに対する幅の比と、
ｉｉｉ．１０μｍ〜２００μｍの範囲内の所定の一定のスペーサ間の距離と、
ｉｖ．１％以上の充填率と、を有する、ステップと；
（ｃ）プレートが開放構成に構成されている時に、プレートのうちの１つ又は両方に試料を付着させるステップと；
（ｄ）（ｃ）の後に、２つのプレートを用いて、試料の少なくとも一部を、１０％より小さい変化で３０μｍ以下の平均値を有する実質的に均一な厚さの層へと圧縮するステップであって、
前記圧縮ステップが以下の段階：
２つのプレートを一緒に合わせる段階
閉鎖構成へとプレートを一緒にプレスするように、並行して又は順次のいずれかで、少なくとも１つのプレートのある領域を適切に押す段階を含み、前記適切に押す段階が、前記試料の少なくとも一部の上方に位置するプレートに実質的に均一な圧力を生成し、前記圧力が、前記試料の少なくとも一部をプレートの試料接触面の間に横方向に広げ、前記閉鎖構成は、前記均一な厚さの領域の層内のプレート間の間隔がスペーサにより調節される構成である、ステップと；
（ｅ）プレートが閉鎖構成にある時に、均一な厚さの層内の分析物を分析するステップと
を含み、
前記充填率が、総プレート面積に対するスペーサ接触面積の比であり、
前記適切に押す段階が、前記プレートの外面の形状の違いに関わらず、ある領域に加えた圧力を実質的に一定にする方法であり、
前記並行して押す段階が、同時に所望の領域に圧力を加え、前記順次押す段階が、所定の領域の一部に圧力を加え、かつ徐々に他の領域に移行する、
蒸気凝縮液試料中の分析物を分析するための方法。
【請求項１０６】
プレートが閉鎖構成になった後に、外からの力を除去するステップと、
プレートが閉鎖構成にある時に、均一な厚さの層内の前記分析物を画像化するステップと、
画像の領域内の分析物又は標識を計数するステップと
をさらに含む、請求項１０４に記載の方法。
【請求項１０７】
プレートが閉鎖構成になった後に、外からの力を除去するステップと、プレートが閉鎖構成にある時に、均一な厚さの層内の光信号を測定するステップとを含む、請求項１０４に記載の方法。
【請求項１０８】
前記スペーサ間距離が、２０μｍ〜２００μｍの範囲内である、請求項１０５に記載の方法。
【請求項１０９】
前記スペーサ間距離が、５μｍ〜２０μｍの範囲内である、請求項１０５に記載の方法。
【請求項１１０】
前記スペーサの充填率とヤング率の積が２ＭＰａ以上である、請求項１０５に記載の方法。
【請求項１１１】
前記表面変化が５０ｎｍより小さい、請求項１０５に記載の方法。
【請求項１１２】
所定の貯蔵部位により画定された試料の関連体積、閉鎖構成での均一な厚さの層の厚さ、及び検出された標的実体の量に基づいて、試料の関連体積中の分析物の濃度を計算するステップをさらに含む、請求項１０５に記載の方法。
【請求項１１３】
前記分析ステップが、前記試料中の分析物を計数する段階を含む、請求項１０５に記載の方法。
【請求項１１４】
画像化ステップと前記計数ステップが、
ｉ．前記均一な厚さの層内の細胞を照射する段階、
ｉｉ．ＣＣＤ又はＣＭＯＳセンサを用いて細胞の１つ以上の画像を撮像する段階、
ｉｉｉ．コンピュータを用いて前記1つ以上の画像のうちのある画像内の細胞を識別する段階、及び
ｉｖ．前記画像のある領域内の細胞を計数する段階
により行われる、請求項１１３に記載の方法。
【請求項１１５】
前記外からの力が、ヒトの手により提供される、請求項１０４に記載の方法。
【請求項１１６】
前記装置が、１つ又は両方のプレートに塗布された乾燥試薬をさらに含む、請求項１０５に記載の方法。
【請求項１１７】
前記均一な厚さの試料の層が、±５％までの厚さの均一性を有する、請求項１０５に記載の方法。
【請求項１１８】
前記スペーサが、円形、多角形、環形、正方形、長方形、長円形、楕円形又はそれらの任意の組み合わせから選択される断面形状を有する柱である、請求項１０５に記載の方法。
【請求項１１９】
前記スペーサ間距離が、ほぼ１つの分析物の最小の寸法である、請求項１０５に記載の方法。
【請求項１２０】
１つ又は両方のプレート試料接触表面が、分析物又は標識が１つの増幅部位から５００ｎｍ以内にある時に、それぞれ分析物又は分析物の標識からの信号を増幅できる１つ以上の増幅部位を含む、請求項１０５に記載の方法。
【請求項１２１】
前記試料が、呼気凝縮液である、請求項１０５に記載の方法。
【請求項１２２】
前記試料が、生体試料、環境試料、化学試料又は臨床試料に由来する蒸気である、請求項１０５に記載の方法。
【請求項１２３】
前記分析物が、分子（例えば、タンパク質、ペプチド、ＤＮＡ、ＲＮＡ、核酸又はその他の分子）、細胞、組織、ウイルス及び異なる形状のナノ粒子を含む、請求項１０５に記載の方法。
【請求項１２４】
前記分析物が、揮発性有機化合物（ＶＯＣ）を含む、請求項１０５に記載の方法。
【請求項１２５】
前記分析物が、窒素、酸素、ＣＯ２、Ｈ２Ｏ及び不活性ガスを含む、請求項１０５に記載の方法。
【請求項１２６】
前記分析物が染色される、請求項１０５に記載の方法。
【請求項１２７】
１つの前記試料表面上に、採取プレートに付着したＶＣ試料の一部又は全部を囲むエンクロージャースペーサをさらに含む、請求項１０５に記載の方法。
【請求項１２８】
前記実質的に均一な厚さが０．５μｍ以下の値を有する、請求項１０５に記載の方法。
【請求項１２９】
前記実質的に均一な厚さが０．５μｍ〜１μｍの範囲内の値を有する、請求項１０５に記載の方法。
【請求項１３０】
前記実質的に均一な厚さが１μｍ〜２μｍの範囲内の値を有する、請求項１０５に記載の方法。
【請求項１３１】
前記実質的に均一な厚さが２μｍ〜１０μｍの範囲内の値を有する、請求項１０５に記載の方法。
【請求項１３２】
前記実質的に均一な厚さが１０μｍ〜２０μｍの範囲内の値を有する、請求項１０５に記載の方法。
【請求項１３３】
前記実質的に均一な厚さが２０μｍ〜３０μｍの範囲内の値を有する、請求項１０５に記載の方法。